(57)【特許請求の範囲】
【請求項１】
送信局に備えられる複数の送信局側光送信器の１つである光送信器と、
複数の光受信器と、
前記光送信器が送信した光を前記複数の光受信器へ分岐するスプリッタと、
前記光送信器が送信する光の波長を第１の波長から、前記第１の波長の光と第２の波長の光との間の第３の波長に変更する制御を行なう波長制御部と、を備え、
前記光送信器は、
前記第１の波長の光と、前記第３の波長の光と、を送信可能な可変波長光源を備え、
前記複数の光受信器のうちの第１の光受信器は、
前記第１の波長と前記第３の波長とを含む第１透過帯域を有する第１光フィルタと、
前記第１光フィルタを透過した光を受信する第１受信部と、を備え、
前記複数の光受信器のうちの第２の光受信器は、
前記第２の波長と前記第３の波長とを含む第２透過帯域を有する第２光フィルタと、
前記第２光フィルタを透過した光を受信する第２受信部と、を備え、
前記送信局は、
前記複数の送信局側光送信器の各々が送信する波長の光を透過させて送出するスイッチと、
前記スイッチにおいて、前記光送信器から送信される前記第２及び第３の波長の光を透過させ、前記波長制御部によって前記光送信器が送信する光の波長を変更する制御が行なわれると、前記スイッチにおいて、前記光送信器について透過させる光の波長を前記第３の波長に制限するスイッチ制御部と、
を備えた、光通信システム。
【請求項２】
前記波長制御部は、前記第２の波長の短波長側に隣り合う波長の光を送信する送信局側光送信器、及び、前記第２の波長の長波長側に隣り合う波長の光を送信する送信局側光送信器を含む複数の候補と、前記複数の光受信器との間の通信状態とに基づき、前記複数の候補から前記光送信器を選択する、
請求項１に記載の光通信システム。
【請求項３】
前記通信状態には、前記複数の候補の送信局側光送信器の各々と対応する光受信器との間の通信量が含まれる、
請求項２に記載の光通信システム。
【請求項４】
前記通信状態には、前記複数の候補の送信局側光送信器の各々が通信する光受信器の数が含まれる、
請求項２に記載の光通信システム。
【請求項５】
前記複数の光受信器は、複数の受信局に１つずつ備えられる光受信器であって、
前記複数の受信局の２つは、
第４の波長の光を前記送信局へ送信する第１の受信局側送信器と、
第５の波長の光を前記送信局へ送信する第２の受信局側送信器と、をそれぞれ備え、
前記送信局は、前記第１の受信局側送信器から送信された前記第４の波長の光と、前記第２の受信局側送信器から送信された前記第５の波長の光とを受信する送信局側受信器を更に備える、
請求項１〜４のいずれか１項に記載の光通信システム。
【請求項６】
前記第１受信部で受信処理した信号を無線送信する第１無線送信ポイントと、
前記第２受信部で受信処理した信号を無線送信する第２無線送信ポイントと、を更に備え、
前記第１及び第２無線送信ポイントは、互いに前記無線送信を協調して行なう、
請求項１〜５のいずれか１項に記載の光通信システム。
【請求項７】
複数の送信局側光送信器の１つであり、受信した光を複数の光受信器へ分岐するスプリッタと接続される光送信器と、
前記光送信器が送信する光の波長を第１の波長から、前記第１の波長の光と第２の波長の光との間の第３の波長に変更する制御を行なう波長制御部と、
前記複数の送信局側光送信器の各々が送信する波長の光を透過させて送出するスイッチと、
前記スイッチにおいて、前記光送信器から送信される前記第２及び第３の波長の光を透過させ、前記波長制御部によって前記光送信器が送信する光の波長を変更する制御が行なわれると、前記スイッチにおいて、前記光送信器について透過させる光の波長を前記第３の波長に制限するスイッチ制御部と、
を備え、
前記光送信器は、
前記第１の波長の光と、前記第３の波長の光と、を送信可能な可変波長光源を備え、
前記第１及び第３の光の波長は、前記複数の光受信器のうちの第１の光受信器によって受信可能であり、
前記第２及び第３の光の波長は、前記複数の光受信器のうちの第２の光受信器によって受信可能である、
送信局。
【請求項８】
送信局に備えられる複数の送信局側光送信器の１つである光送信器から、第１の波長の光と、前記第１の波長の光と第２の波長の光との間の第３の波長の光と、を選択的に送信し、
前記送信された光をスプリッタにて複数の光受信器へ分岐し、
前記光送信器が送信する光の波長を前記第１の波長から、前記第３の波長に変更する制御を行ない、
前記複数の送信局側光送信器の各々が送信する波長の光を透過させて送出するスイッチにおいて、前記光送信器から送信される前記第２及び第３の波長の光を透過させ、前記光送信器が送信する光の波長を変更する制御が行なわれると、前記スイッチにおいて、前記光送信器について透過させる光の波長を前記第３の波長に制限し、
前記複数の光受信器のうちの第１の光受信器は、前記第１の波長と前記第３の波長とを含む第１透過帯域を有する第１光フィルタの透過光を受信し、
前記複数の光受信器のうちの第２の光受信器は、前記第２の波長と前記第３の波長とを含む第２透過帯域を有する第２光フィルタの透過光を受信する、
光通信方法。
【発明の詳細な説明】
【技術分野】
【０００１】
本明細書に記載する技術は、光通信システム、送信局及び光通信方法に関する。
【背景技術】
【０００２】
光通信システムの一例として、パッシブオプティカルネットワーク（ＰＯＮ）システムがある。ＰＯＮシステムの障害耐性（「可用性」と称してもよい。）を向上する目的で、ＯＬＴ（Optical Line Terminal）に現用系及び予備系の光送受信モジュールが備えられることがある。
【先行技術文献】
【特許文献】
【０００３】
【特許文献１】特開２０１５−８４４７０号公報
【発明の概要】
【発明が解決しようとする課題】
【０００４】
ＯＬＴに現用系及び予備系の光送受信モジュールを備えると、ＯＬＴが複雑化したり大規模化し、また、コストも高くなり易い。
【０００５】
１つの側面では、本明細書に記載する技術は、簡易な構成により、光通信システムの可用性を向上することを目的の１つとする。
【課題を解決するための手段】
【０００６】
１つの側面において、光通信システムは、送信局に備えられる複数の送信局側光送信器の１つである光送信器と、複数の光受信器と、前記光送信器が送信した光を前記複数の光受信器へ分岐するスプリッタと、前記光送信器が送信する光の波長を第１の波長から、前記第１の波長の光と第２の波長の光との間の第３の波長に変更する制御を行なう波長制御部と、を備えてよい。前記光送信器は、前記第１の波長の光と、前記第３の波長の光と、を送信可能な可変波長光源を備えてよい。前記複数の光受信器のうちの第１の光受信器は、前記第１の波長と前記第３の波長とを含む第１透過帯域を有する第１光フィルタと、前記第１光フィルタを透過した光を受信する第１受信部と、を備えてよい。前記複数の光受信器のうちの第２の光受信器は、前記第２の波長と前記第３の波長とを含む第２透過帯域を有する第２光フィルタと、前記第２光フィルタを透過した光を受信する第２受信部と、を備えてよい。前記送信局は、前記複数の送信局側光送信器の各々が送信する波長の光を透過させて送出するスイッチと、前記スイッチにおいて、前記光送信器から送信される前記第２及び第３の波長の光を透過させ、前記波長制御部によって前記光送信器が送信する光の波長を変更する制御が行なわれると、前記スイッチにおいて、前記光送信器について透過させる光の波長を前記第３の波長に制限するスイッチ制御部と、を備えてよい。
【発明の効果】
【０００７】
１つの側面として、簡易な構成により、光通信システムの可用性を向上できる。
【図面の簡単な説明】
【０００８】
【図１】光通信システムにおける高密度セルの第１の例を示す図である。
【図２】図１に示された光通信システムにおける高密度セルの第２の例を示す図である。
【図３】光通信システムの構成例を示すブロック図である。
【図４】図３に示された光通信システムの送受信モジュールにおいて発生した障害を説明する図である。
【図５】実施形態の光通信システムの構成例を示すブロック図である。
【図６】図５に示された光通信システムにおける収容局側の光送信器及びＯＮＵ側の光受信器の構成例をそれぞれ示すブロック図である。
【図７】図３に示された光通信システムのＯＮＵ側の光受信器における光フィルタの透過帯域を例示する図である。
【図８】図６に示された実施形態の光通信システムのＯＮＵ側の光受信器における光フィルタの透過帯域を例示する図である。
【図９】図５に示された光通信システムにおけるコントローラの機能的な構成例を示すブロック図である。
【図１０】図５に示された光通信システムの送受信モジュールにおいて発生した障害を説明する図である。
【図１１】図１０に示された障害の対処動作の一例を説明する図である。
【図１２】実施形態の光通信システムにおける障害対処動作を説明するフローチャートである。
【図１３】図１２に示された処理Ｐ４の詳細を説明するフローチャートである。
【図１４】変形例の光通信システムの送受信モジュールにおいて発生した障害を説明する図である。
【図１５】図１４に示された障害の対処動作の第１の例を説明する図である。
【図１６】図１４に示された障害の対処動作の第２の例を説明する図である。
【図１７】変形例の光通信システムにおけるトラフィック情報をテーブル形式で例示する図である。
【図１８】変形例の光通信システムにおける波長情報をテーブル形式で例示する図である。
【発明を実施するための形態】
【０００９】
以下、図面を参照して実施の形態を説明する。ただし、以下に示す実施形態はあくまでも例示に過ぎず、実施形態で明示しない種々の変形例や技術の適用を排除する意図はない。例えば、本実施形態を、その趣旨を逸脱しない範囲で種々変形して実施することができる。
【００１０】
また、各図は、図中に示す構成要素のみを備えるという趣旨ではなく、他の構成要素を含むことができる。以下、図中において、同一の符号を付した部分は特に断らない限り、同一若しくは同様の部分を示す。
【００１１】
〔Ａ〕実施形態
無線通信システムにおいて、無線基地局（以下、単に「基地局」と称することがある。）の本体から地理的に離れた位置に、複数の無線装置を配置して、基地局本体と複数の無線送受信器とを例えば光ファイバ伝送路によって接続することがある。
【００１２】
「無線装置」は、「ＲＲＨ（Remote Radio Head）」と称されることがある。ＲＲＨは、例示的に、基地局本体が形成又は提供する無線エリア（カバレッジと称してもよい）よりも小さい無線エリアを形成又は提供することができる。無線エリアの一例は、「セル」である。
【００１３】
ここで、無線基地局本体と複数のＲＲＨとを個別に光ファイバ伝送路で接続すると、ＲＲＨの数の増加に応じて、光ファイバ伝送路の数も増えるため、コスト面で効率的とはいえない。そこで、無線基地局本体と複数のＲＲＨとの間の光接続に、ＰＯＮシステムを適用することが検討されている。このようなＰＯＮシステムは、「モバイルフロントホールネットワーク」と称されてもよい。
【００１４】
例えば、無線基地局本体にＯＬＴを接続し、個々のＲＲＨにＯＮＵ（Optical Network Unit）を接続し、ＯＬＴとＯＮＵとの間に光スプリッタを設ける。また、ＯＬＴと光スプリッタとは１本の光ファイバで接続し、光スプリッタに複数のＯＮＵを接続する。この場合、無線基地局とＯＬＴとを備える局舎あるいは設備を「収容局」と称してよい。
【００１５】
近年のモバイルトラフィックの増加に伴い、ＲＲＨと収容局とを接続するモバイルフロントホールネットワーク等のアクセス領域におけるトラフィックも増加している。無線のセルラーシステムでは、密度が高いセル（「高密度セル」と称されてもよい。）における干渉を抑制するため、セル間協調伝送が行なわれることがある。なお、「高密度セル」は、単位面積あたりのセル６０ａの数が多いエリアに存在するセル６０ａであってよい。
【００１６】
セル間協調伝送は、ＣｏＭＰ（Coordinated Multi-Point）通信とも称される。ＣｏＭＰ通信では、２以上のＲＲＨは、収容局（「送信局」と称されてもよい。）との間で、互いに異なる波長の光信号を送受信することがある。収容局は、ＣｏＭＰ通信に関わる２以上の基地局のそれぞれに対応する、２以上の光送受信モジュールを備えてよい。
【００１７】
収容局に備えられる２以上の送受信モジュールのうちのいずれかの送受信モジュールで障害が発生した場合には、障害が発生した光送受信モジュールに対応するＲＲＨは、対応する波長の光を用いて収容局と通信できなくなるおそれがある。
【００１８】
その対策として、収容局に、現用系及び予備系の送受信モジュールを備えることが考えられるが、収容局の構成が複雑化したり大規模化し、また、コストも高くなり易い。
【００１９】
そこで、以下に説明する実施形態では、現用系及び予備系の別に光送受信モジュールを用意しなくても、耐障害性を向上可能な光通信システムの一例について説明する。
【００２０】
〔Ａ−１〕システム構成例
図１は、光通信システム１００ａにおける高密度セルの第１の例を示す図である。図２は、図１に示した光通信システム１００ａにおける高密度セルの第２の例を示す図である。
【００２１】
光通信システム１００ａは、図１及び図２に示されるように、例示的に、収容局１ａ及び光スプリッタ５ａを備える、ＰＯＮトポロジーを用いた５Ｇ（第５世代）向けフロントホールであってよい。また、光通信システム１００ａには、例示的に、複数のセル６０ａが展開される。
【００２２】
なお、図１及び図２においては、光通信システム１００ａに展開される複数のセルのうち一部のセルに符号６０ａが図示され、その他のセルの符号の図示は省略されている。
【００２３】
セル６０ａ内には、例示的に、図３等を用いてそれぞれ後述するＯＮＵ６ａ及びＲＲＨ７ａが設置されてよい。セル６０ａは、ＲＲＨ７ａによって無線通信が提供される領域、換言すればＲＲＨ７ａが提供する無線エリアであってよい。
【００２４】
光スプリッタ５ａは、収容局１ａの出力ポート（不図示）から入力される信号光を分岐することが可能な光デバイスの一例である。光スプリッタ５ａによって分岐された信号光は、複数のセル６０ａのそれぞれに属するＯＮＵ６ａに分配されてよい。
【００２５】
収容局１ａは、例示的に、光スプリッタ５ａを介して、各セル６０ａに属するＯＮＵ６ａと信号光の送受信を行なう。例えば、収容局１ａは、ＢＢＵ（Baseband Unit）４１ａ、ＯＬＴ２０ａ及びコントローラ１０ａ（図３等を用いて後述）を備えてよい。
【００２６】
ＢＢＵ４１ａは、データ処理部の一例であり、例示的に、ＲＲＨ７ａとの間で送受信されるデータに対して処理を行なう。ＢＢＵ４１ａは、Ｃ−ＢＢＵ（Centralized-baseband unit）と称されてもよい。一例として、ＢＢＵ４１ａでは、図示しないインタフェースを介して授受されるユーザデータ（例えばパケット）と、ＲＲＨ７ａとの間で通信するデータ（例えばベースバンド信号）との間の変換処理が行なわれてよい。なお、ユーザデータは、例えばバックホールネットワーク経由でモバイル通信のコア網との間で授受されてよい。例えば、変換処理には、送信するパケットに対して符号化や変調等を行ないベースバンド信号を取得する処理、及び、受信したベースバンド信号に対して復調や復号等を行ないパケットを取得する処理が含まれてよい。ＢＢＵ４１ａ及びＲＲＨ７ａは、無線基地局の一例として位置づけられてもよい。
【００２７】
ＯＬＴ２０ａは、収容局１ａ側の光回線終端装置の一例であり、例示的に、光回線（別言すれば、「光伝送路」）を介して、ＯＮＵ６ａとの間で信号光の送受信を行なう。なお、光伝送路としては、例えば光ファイバが挙げられる。
【００２８】
光通信システム１００ａにおいては、高密度セルにおける干渉を抑制するため、セル間協調伝送が行なわれてよい。ＣｏＭＰ通信方式を用いたセル間協調伝送を行なうことにより、高密度セルの柔軟な収容が可能となる。
【００２９】
光通信システム１００ａにおけるトラフィックの時間変動によってイベントや人の移動が発生すると、セル間協調伝送に利用されるＲＲＨ７ａとＢＢＵ４１ａとの間の接続関係が変化する。
【００３０】
例えば、図１に示されるように、或る日には、斜線で示されたセル６０ａが高密度セルになりセル間協調伝送が行なわれる。一方、図２に示されるように、図１に示された日の翌日には、網掛けで示されたセル６０ａが高密度セルになりセル間協調伝送が行なわれる。
【００３１】
図３は、光通信システム１００ａの構成例を示すブロック図である。
【００３２】
光通信システム１００ａは、ＲＲＨ７ａとＢＢＵ４１ａとの間の接続関係を柔軟に変更できるように、例示的に、図３に示す構成を有してよい。
【００３３】
光通信システム１００ａは、例示的に、収容局１ａ、光スプリッタ５ａ、複数（図３に示される例では４つ）のＯＮＵ６ａ及び複数（図３に示される例では４つ）のＲＲＨ７ａを備える。複数のＯＮＵ６ａのそれぞれは、ＯＮＵ＃１、ＯＮＵ＃２、ＯＮＵ＃３又はＯＮＵ＃４と称されてもよい。また、複数のＲＲＨ７ａのそれぞれは、ＲＲＨ＃１、ＲＲＨ＃２、ＲＲＨ＃３又はＲＲＨ＃４と称されてもよい。
【００３４】
ＲＲＨ７ａは、無線送信ポイントの一例であり、例示的に、図１及び図２に示したセル６０ａに位置する無線端末（不図示）と無線通信を行なう。ＲＲＨ７ａは、ＯＮＵ６ａと接続され、ＯＮＵ６ａから取得したデータを無線信号に変換して無線端末へ送信してよい。また、ＲＲＨ７ａは、無線端末から受信する無線信号を変換して取得したデータをＯＮＵ６ａに入力してよい。
【００３５】
図３に示される例において、ＲＲＨ＃１〜＃４は、ＯＮＵ＃１〜＃４にそれぞれ接続される。また、ＲＲＨ＃１〜＃４は、セル間協調伝送を行なってよい。
【００３６】
ＯＮＵ６ａは、ＲＲＨ７ａ側の光回線終端装置の一例であり、例示的に、「Ｒｘ」と略記される光受信器６１ａ、「Ｔｘ」と略記される光送信器６２ａ、及び、光合分波器６３ａを備える。
【００３７】
光合分波器６３ａは、例示的に、光スプリッタ５ａから光伝送路を介して入力された信号光を光伝送路内の光から分波して光受信器６１ａへ入力する。また、光合分波器６３ａは、光送信器６２ａから出力された信号光を光伝送路内の光に合波して光スプリッタ５ａへ入力してよい。
【００３８】
光受信器６１ａは、例示的に、図示しない光フィルタを備えてよい。光受信器６１ａは、光フィルタを透過した所定波長（別言すれば、「固定波長」）の信号光を受信し、信号光から取得したデータをＲＲＨ７ａに送信してよい。
【００３９】
図３に示される例において、ＯＮＵ＃１〜＃４の光受信器６１ａは、波長λ１〜λ４の信号光をそれぞれ受信する。
【００４０】
光送信器６２ａは、例示的に、図示しない光源を備えてよい。光送信器６２ａは、光源によって発光される所定波長（別言すれば、「固定波長」）の光に対してＲＲＨ７ａから入力されたデータに基づく送信処理を施して信号光を生成し、光合分波器６３ａに送信する。送信処理には、光変調処理が含まれてよい。
【００４１】
図３に示される例において、ＯＮＵ＃１〜＃４の光送信器６２ａは、波長λ１１〜λ１４の信号光をそれぞれ送信する。
【００４２】
収容局１ａは、例示的に、コントローラ１０ａ、ＯＬＴ２０ａ及びＢＢＵプール４０ａを備える。
【００４３】
ＢＢＵプール４０ａは、例示的に、複数（図３に示される例では４つ）のＢＢＵ４１ａ（「ＢＢＵ＃１〜＃４」と称されてもよい）を備える。
【００４４】
ＯＬＴ２０ａは、例示的に、ＷＳＳ（Wavelength Selective Switch；波長選択スイッチ）２１ａ及び複数（図３に示される例では４つ）の光送受信モジュール２２ａを備える。
【００４５】
ＷＳＳ２１ａは、複数の光送受信モジュール２２ａから入力される信号光を波長多重して光伝送路へ出力する一方、光スプリッタ５ａから入力される信号光を波長単位でいずれかの光送受信モジュール２２ａに出力可能な光デバイスの一例である。ＷＳＳ２１ａは、光送受信モジュール２２ａごとに、光送受信モジュール２２ａと接続されるポートを備えてよい。
【００４６】
光送受信モジュール２２ａは、例示的に、送信波長が可変の光送信器（可変Ｔｘ）２２１ａ及び光受信器（Ｒｘ）２２２ａを備える。
【００４７】
複数の光送受信モジュール２２ａに１つずつ備えられる光送信器２２１ａのそれぞれは、光送信器＃１、光送信器＃２、光送信器＃３又は光送信器＃４と称されてもよい。また、複数の光送受信モジュール２２ａに１つずつ備えられる光受信器２２２ａのそれぞれは、光受信器＃１、光受信器＃２、光受信器＃３又は光受信器＃４と称されてもよい。
【００４８】
光送信器２２１ａは、例示的に、図示しない可変波長光源（「チューナブル光源」と称してもよい。）を備えてよい。光送信器２２１ａは、可変波長光源によって発光される任意の波長の光に対してＢＢＵ４１ａから入力されたデータに基づく送信処理を施して信号光を生成し、ＯＮＵ６ａに向けて送信する。光送信器２２１ａによって送信される信号光の波長は、接続されるＯＮＵ６ａの光受信器６１ａが受信可能な波長帯域によって決定されてよい。
【００４９】
図３に示される例において、光送信器＃１〜＃４は、波長λ１〜λ４の信号光をＯＮＵ＃１〜＃４の光受信器６１ａへそれぞれ送信する。
【００５０】
光受信器２２２ａは、例示的に、接続されるＯＮＵ６ａの光送信器６２ａが送信する信号光の波長に応じて、任意の波長の信号光を受信し、信号光から取得したデータをＢＢＵ４１ａに出力してよい。
【００５１】
図３に示される例において、光受信器＃１〜＃４は、ＯＮＵ＃１〜＃４の光送信器６２ａから波長λ１１〜λ１４の信号光をそれぞれ受信する。
【００５２】
コントローラ１０ａは、例示的に、ＷＳＳ２１ａ、各光送受信モジュール２２ａ及び各ＢＢＵ４１ａの動作を制御する。
【００５３】
図３に示される収容局１ａは、ＢＢＵ４１ａとＯＬＴ２０ａとの連携動作を行なうことにより、光通信システム１００ａの集中制御を実施することが可能であり、ＢＢＵ４１ａとＲＲＨ７ａとの間の接続関係の変更を制御することができる。
【００５４】
図４は、図３に示した光通信システム１００ａの光送受信モジュール２２ａにおいて発生した障害を説明する図である。
【００５５】
図４に示される例においては、収容局１ａの光送信器＃１及び光受信器＃１を備える光送受信モジュール２２ａにおいて、故障等の障害が発生する（符号Ａ１参照）。これにより、障害が発生した光送受信モジュール２２ａと通信を行なうＯＮＵ＃１は、収容局１ａとの間で信号光の送受信ができなくなる。そして、ＯＮＵ＃１に接続されるＲＲＨ＃１は、ＲＲＨ＃２〜＃４とセル間協調伝送を実施できなくなる（符号Ａ２参照）。
【００５６】
図５は、実施形態の光通信システム１００の構成例を示すブロック図である。
【００５７】
実施形態の光通信システム１００は、光送受信モジュール２２において障害が発生しても各ＲＲＨ７がセル間協調伝送を継続して実施できるように、例示的に、図５に示すような構成を有してよい。
【００５８】
光通信システム１００は、例示的に、収容局１、光スプリッタ５、複数（図５に示される例では６つ）のＯＮＵ６及び複数（図５に示される例では６つ）のＲＲＨ７を備える。
【００５９】
複数のＯＮＵ６のそれぞれは、ＯＮＵ＃１、ＯＮＵ＃２、ＯＮＵ＃３、ＯＮＵ＃４、ＯＮＵ＃５又はＯＮＵ＃６と称されてもよい。また、複数のＲＲＨ７のそれぞれは、ＲＲＨ＃１、ＲＲＨ＃２、ＲＲＨ＃３、ＲＲＨ＃４、ＲＲＨ＃５又はＲＲＨ＃６と称されてもよい。
【００６０】
収容局１と各ＯＮＵ６との間の通信は、光伝送路を用いて、ＷＤＭ（Wavelength Division Multiplexing）／ＴＤＭ（Time Division Multiplexing）  ＰＯＮ方式によって実施されてよい。収容局１は、１つの波長で複数のＯＮＵ６を収容することが可能である。なお、ＷＤＭには波長密度の高いＤＷＤＭ（Dense WDM）が含まれてもよい。
【００６１】
また、光通信システム１００においては、ＣＰＲＩ（Common Public Radio Interface）信号をＰＯＮによって伝送するために、例えばCPRI over Ethernet（登録商標）技術が用いられてよい。
【００６２】
ＲＲＨ７は、無線送信ポイントの一例であり、例示的に、ＲＲＨ７が展開するセル（不図示）内に位置する無線端末（不図示）と無線通信を行なう。ＲＲＨ７は、ＯＮＵ６と接続され、ＯＮＵ６から取得したデータを無線信号に変換して無線端末へ送信してよい。また、ＲＲＨ７は、無線端末から受信する無線信号を変換して取得したデータをＯＮＵ６に入力してよい。図５において、互いに接続されたＯＮＵ６とＲＲＨ７との複数の組み合わせのそれぞれは、受信局の一例である。
【００６３】
図５に示される例において、ＲＲＨ＃１〜＃６は、ＯＮＵ＃１〜＃６にそれぞれ接続される。また、ＲＲＨ＃１〜＃４は、セル間協調伝送を行なってよい。
【００６４】
ＯＮＵ６は、ＲＲＨ７側の光回線終端装置の一例であり、例示的に、光受信器（Ｒｘ）６１、光送信器（Ｔｘ）６２及び光合分波器６３を備える。なお、ＯＮＵ＃５及び＃６は、ＯＮＵ＃１〜＃４のそれぞれと同様の構成を有しているため、図５においてその構成の図示は省略されている。
【００６５】
光合分波器６３は、例示的に、光スプリッタ５ａから光伝送路を介して入力された信号光を光伝送路内の光から分波して光受信器６１へ入力する。また、光合分波器６３は、光送信器６２から出力された信号光を光伝送路内の光に合波して光スプリッタ５へ入力してよい。
【００６６】
光送信器６２は、例示的に、図示しない光源を備えてよい。光送信器６２は、光源によって発光される所定波長の光に対してＲＲＨ７ａから入力されたデータに基づく送信処理を施して信号光を生成し、光合分波器６３に送信する。送信処理には、光変調処理が含まれてよい。光送信器６２は、「受信局側光送信器」と称されてもよい。
【００６７】
図５に示される例において、ＯＮＵ＃１〜＃４の光送信器６２は、波長λ１１〜λ１４の信号光をそれぞれ送信する。
【００６８】
光受信器６１は、例示的に、所定の透過帯域を有するＢＰＦ（Band Pass Filter）６１１（図６を用いて後述）を備えてよい。光受信器６１は、ＢＰＦ６１１を透過した所定波長の信号光を受信し、信号光から取得したデータをＲＲＨ７に送信してよい。光受信器６１は、「受信局側光受信器」と称されてもよい。
【００６９】
図５に示される例において、ＯＮＵ＃１〜＃４の光受信器６１は、波長λ１〜λ４の信号光をそれぞれ受信する。
【００７０】
図６は、図５に示した光通信システム１００における収容局１側の光送信器２２１及びＯＮＵ６側の光受信器６１の構成例をそれぞれ示すブロック図である。なお、図６の（１）に示す光送信器２２１の構成例については後述する。
【００７１】
光受信器６１は、図６の（２）に示されるように、例示的に、ＢＰＦ６１１、ＰＤ（Photo Detector）６１２及び受信処理部６１３を備える。
【００７２】
ＢＰＦ６１１は、第１及び第２光フィルタの一例であり、例示的に、光合分波器６３から入力された信号光から所定波長の信号光を透過して、透過した信号光をＰＤ６１２へ入力する。ＢＰＦ６１１が透過する信号光の波長については、図８を用いて後述する。
【００７３】
ＰＤ６１２は、例示的に、ＢＰＦ６１１を透過した信号光のパワーに応じた電気信号を生成して、生成した電気信号を受信処理部６１３へ入力する。
【００７４】
受信処理部６１３は、例示的に、収容局１側の光送信器２２１において実施された光信号の光変調の方式に応じて、ＰＤ６１２から入力された電気信号に対して復調等の種々の処理を実施する。そして、受信処理部６１３は、種々の処理を実施することによって取得したデータをＲＲＨ７へ入力してよい。
【００７５】
別言すれば、受信処理部６１３は、ＢＰＦ６１１を透過した光を受信する第１及び第２受信部の一例として機能してよい。
【００７６】
図７は、図３に示された光通信システム１００ａのＯＮＵ６ａ側の光受信器６１ａにおける光フィルタの透過帯域を例示する図である。
【００７７】
図３に示されたＯＮＵ＃１〜＃３の光受信器６１ａのそれぞれが受信する信号光の波長λ１〜λ３は、図７に例示されるように、１００ＧＨｚ毎に設定される。すなわち、波長λ１と波長λ２とは１００ＧＨｚの差を有してよく、波長λ２と波長λ３とは１００ＧＨｚの差を有してよい。
【００７８】
光受信器６１ａの光フィルタは、波長多重信号光の波長間隔が１００ＧＨｚの場合、透過帯域の中央の波長（例えば、λ１〜λ４のいずれか）を中心として、透過率が１ｄＢ低下する帯域幅が２０ＧＨｚ程度の透過特性を有してよい。また、この透過特性は、透過帯域の中央の波長（例えば、λ１〜λ４のいずれか）を中心として、透過率が２０ｄＢ低下する帯域幅が１５０ＧＨｚ程度であってよい。
【００７９】
なお、波長多重信号光の波長間隔が倍の２００ＧＨｚの場合であっても、光受信器６１ａの光フィルタは、波長間隔が１００ＧＨｚの場合と同様の透過帯域を有してよい。或いは、波長間隔が２００ＧＨｚの場合、透過特性は、透過率が１ｄＢ低下する帯域幅が４０ＧＨｚ、透過率が２０ｄＢ低下する帯域幅が３００ＧＨｚ、のように、波長間隔が１００ＧＨｚのときの倍程度であってもよい。
【００８０】
図８は、図６の（２）に示された実施形態の光通信システム１００のＯＮＵ６側の光受信器６１における光フィルタ（別言すれば、「ＢＰＦ６１１」）の透過帯域を例示する図である。
【００８１】
図８に示されたＯＮＵ＃１〜＃４の光受信器６１のそれぞれが受信する信号光の波長λ１〜λ４は、図８に例示されるように、２００ＧＨｚ毎に設定される。すなわち、波長λ１と波長λ２とは２００ＧＨｚの差を有してよく、波長λ２と波長λ３とは２００ＧＨｚの差を有してよく、波長λ３と波長λ４とは２００ＧＨｚの差を有してよい。
【００８２】
ＢＰＦ６１１は、透過帯域の中央の波長（例えば、λ１〜λ４のいずれか）を中心として、３００ＧＨｚの透過帯域、つまり短波長側と長波長側とのそれぞれに１５０ＧＨｚの透過帯域を有してよい。なお、ＢＰＦ６１１の透過特性は、例えば、透過率が１ｄＢ低下する帯域幅が３００ＧＨｚ程度であってもよい。このように、各ＢＰＦ６１１の透過帯域は、図３に示す光受信器６１ａの光フィルタよりも広い透過帯域を有してよい。なお、図８においては、説明のために、各ＢＰＦ６１１について透過する信号光の最大パワーが異なる透過特性が示されているが、各ＢＰＦ６１１が透過する光信号の最大パワーは同じであってよい。
【００８３】
ここで、波長多重信号光の波長間隔は２００ＧＨｚであるため、ＢＰＦ６１１の３００ＧＨｚの透過帯域には、透過する信号光の波長（例えば、λ２）と、当該波長と隣り合う波長（例えば、λ１及びλ３）と、の間の波長が含まれてよい。一例として、図８に示すように、透過帯域には、透過する信号光の波長（例えば、λ１〜λ４のいずれか）とは１００ＧＨｚの差を有する波長（例えば、λ１−２，λ２−３又はλ３−４）が含まれてよい。
【００８４】
換言すれば、図８に示される波長λ１−２，λ２−３及びλ３−４は、それぞれ、透過帯域の中心波長が隣り合う２つのＢＰＦ６１１の透過帯域に共通に含まれる。例えば、λ１−２は、波長λ１の信号光を透過するＢＰＦ６１１、及び波長λ２の信号光を透過するＢＰＦ６１１のそれぞれの透過帯域に含まれる。また、λ２−３は、波長λ２の信号光を透過するＢＰＦ６１１、及び波長λ３の信号光を透過するＢＰＦ６１１のそれぞれの透過帯域に含まれる。更に、λ３−４は、波長λ３の信号光を透過するＢＰＦ６１１、及び波長λ４の信号光を透過するＢＰＦ６１１のそれぞれの透過帯域に含まれる。波長λ１−２，λ２−３及びλ３−４のそれぞれは、後述するように、透過帯域の中心波長が隣り合う２つのＢＰＦ６１１を有する２つのＯＮＵ６によって共用される波長であるため、共用波長と称されてよい。なお。「共用波長」は、「予備波長」と称されてもよい。
【００８５】
別言すれば、各ＢＰＦ６１１は、隣り合う透過帯域を有するＢＰＦ６１１の中心波長の信号光を透過しないが、自身の透過帯域の中心波長と、隣り合う透過帯域を有するＢＰＦ６１１の中心波長と、の中間点に位置する波長の信号光を透過してよい。言い換えれば、各ＢＰＦ６１１の透過帯域の一部は、隣り合うＢＰＦ６１１の透過帯域の一部と重なってよい。なお、透過帯域の中心波長は、「波長グリッド」又は「波長チャネル」と称されてもよい。
【００８６】
更に別言すれば、ＯＮＵ＃１〜＃４のうちの１つのＢＰＦ６１１は、第１の波長と第３の波長とを含む第１透過帯域を有してよい。また、ＯＮＵ＃１〜＃４のうちの他の１つのＢＰＦ６１１は、第２の波長と第３の波長とを含む第２透過帯域を有してよい。
【００８７】
これにより、ＯＮＵ６は、接続していた光送信器２２１で障害が発生し、接続していた光送信器２２１から受信していた波長の信号光が受信できなくなった場合においても、共用波長の信号光の受信を継続することができる。
【００８８】
図５に戻り、光スプリッタ５は、収容局１の出力ポート（不図示）から収容局１との間の光伝送路を介して入力される信号光を分岐することが可能な光デバイスの一例である。光スプリッタ５によって分岐された信号光は、各ＯＮＵ６との間の光伝送路を介して各ＯＮＵ６に分配されてよい。また、光スプリッタ５は、各ＯＮＵ６から光伝送路を介して入力された信号光を収容局１に向けて出力してよい。なお、各ＯＮＵ６から収容局１への信号光は、例えば時分割多重方式により伝送されてよい。時分割多重方式の伝送により、複数のＯＮＵ６からの信号光の衝突を回避できる。
【００８９】
収容局１は、送信局の一例であり、例示的に、コントローラ１０、ＯＬＴ２０、電気ＳＷ（スイッチ）３０及びＢＢＵプール４０を備える。
【００９０】
ＯＬＴ２０は、収容局１側の光回線終端装置の一例であり、例示的に、光回線（別言すれば、「光伝送路」）を介して、ＯＮＵ６との間で信号光の送受信を行なう。ＯＬＴ２０は、例示的に、ＷＳＳ２１及び複数（図５に示される例では４つ）の光送受信モジュール２２を備える。
【００９１】
ＷＳＳ２１は、複数の光送受信モジュール２２から入力される信号光を波長多重して光伝送路へ出力する一方、光スプリッタ５から入力される信号光を波長単位でいずれかの光送受信モジュール２２に出力可能な光デバイスの一例である。ＷＳＳ２１は、光送受信モジュール２２と接続されるポートを備えてよい。ＷＳＳ２１は、単に「スイッチ」と称されてもよい。
【００９２】
光送受信モジュール２２は、例示的に、送信波長が可変の光送信器（可変Ｔｘ）２２１及び光受信器（Ｒｘ）２２２を備える。
【００９３】
複数の光送受信モジュール２２に１つずつ備えられる光送信器２２１のそれぞれは、光送信器＃１、光送信器＃２、光送信器＃３又は光送信器＃４と称されてもよい。また、複数の光送受信モジュール２２に１つずつ備えられる光受信器２２２ａのそれぞれは、光受信器＃１、光受信器＃２、光受信器＃３又は光受信器＃４と称されてもよい。
【００９４】
光送信器２２１は、送信局側光送信器の一例であり、図６の（１）に示すように、例示的に、可変波長光源２２１１，駆動部２２１２及び光変調器２２１３を備えてよい。可変波長光源２２１１は、任意の波長の光を発光する。駆動部２２１２は、可変波長光源２２１１によって発光される任意の波長の光について、ＢＢＵ４１から入力されたデータに基づく駆動制御を施して信号光を生成する。生成された信号光は、ＯＮＵ６に向けて送信される。信号光の波長は、接続されるＯＮＵ６の光受信器６１が受信可能な波長帯域によって決定されてよい。
【００９５】
なお、駆動部２２１２は、駆動制御において、可変波長光源２２１１を制御する直接変調（図６の（１）の一点鎖線参照）を行なってよい。この場合、光変調器２２１３は不要である。或いは、駆動部２２１２は、可変波長光源２２１１からの光を変調する光変調器２２１３を制御する外部変調（図６の（１）の破線参照）を行なってもよい。光変調器２２１３としては、例えばマッハツェンダ型光変調器等が挙げられる。
【００９６】
例えば、光送信器２２１は、通信するＯＮＵ６の光受信器６１が受信可能な波長帯域の中心波長の信号光に加えて、当該波長と、隣り合う波長を送信する光送信器２２１の送信波長と、の中間点の波長である共用波長の信号光を送信可能であってよい。
【００９７】
図５に示される例において、光送信器＃１〜＃４は、波長λ１〜λ４の信号光をそれぞれ送信可能である。また、光送信器＃１及び＃２はともに共用波長λ１−２を送信可能であってよく、光送信器＃２及び＃３はともに共用波長λ２−３を送信可能であってよく、光送信器＃３及び＃４はともに共用波長λ３−４を送信可能であってよい。
【００９８】
別言すれば、光送信器２２１は、第１の波長の光と、第１の波長の光と第２の波長の光との間の第３の波長の光と、を送信可能である。
【００９９】
これにより、或る光送信器２２１で障害が発生した場合に、障害が発生した光送信器２２１の送信波長と隣り合う波長の信号光を送信する他の光送信器２２１によって、障害が発生した光送信器２２１と接続していたＯＮＵ６に対する信号光の送信を継続できる。
【０１００】
例えば、ＲＲＨ＃１〜ＲＲＨ＃４がセル間協調伝送を行なっている場合、ＲＲＨ＃１は、障害により光送信器＃１から協調伝送に係るデータを受け取れない場合でも、光送信器＃２から協調伝送に係るデータを受け取ることができる。従って、光送信器＃１で障害が発生した場合でも、ＲＲＨ＃１（及びＲＲＨ＃２）は協調伝送に係るデータを光送信器＃２から受信できるため、ＲＲＨ＃１は継続してセル間協調伝送を実施できる。換言すれば、簡易な構成により、光送信器２２１の可用性を高めることができる。
【０１０１】
なお、セル間協調伝送において、複数のＲＲＨ７間で協調送信に係るデータとして同じデータを扱う方式には、ＪＴ（Joint Transmission）方式又はＤＰＳ（Dynamic Point Selection）方式がある。実施形態に係る光通信システム１００では、例えば上述したＲＲＨ＃１及びＲＲＨ＃２を含む少なくとも２つのセルで、ＪＴ又はＤＰＳ方式のセル間協調伝送が実施可能である。
【０１０２】
また、上述したＲＲＨ＃１及びＲＲＨ＃２の２つのセルと、他の１以上のセル（例えばＲＲＨ＃３）との間では、他の方式、例えばＣＳ／ＣＢ（Coordinated Scheduling / Coordinated Beam forming）方式のセル間協調伝送も実施可能である。
【０１０３】
光受信器２２２は、送信局側光受信器の一例であり、例示的に、通信するＯＮＵ６の光送信器６２が送信する信号光の波長に応じて、任意の波長の信号光を受信し、信号光から取得したデータをＢＢＵ４１に出力してよい。光受信器２２２の通信先のＯＮＵ６の光送信器６２が変更された場合には、光受信器２２２が受信する信号光の波長も変更されてよい。また、光受信器２２２の通信先のＯＮＵ６の光送信器６２が追加された場合には、光受信器２２２が受信する信号光の波長も追加されてよい。
【０１０４】
これにより、光受信器２２２は、他の光受信器２２２で障害が発生した場合においても、障害が発生した光受信器２２２と通信をしていたＯＮＵ６から送信される信号光を受信することができる。
【０１０５】
図５に示される例において、光受信器＃１〜＃４は、ＯＮＵ＃１〜＃４の光送信器６２から波長λ１１〜λ１４の信号光をそれぞれ受信する。
【０１０６】
ＢＢＵプール４０は、例示的に、複数（図５に示される例では６つ）のＢＢＵ４１（別言すれば、「ＢＢＵ＃１〜＃６」）を備える。
【０１０７】
ＢＢＵ４１は、データ処理部の一例であり、例示的に、ＲＲＨ７との間で送受信されるデータに対する処理を行なう。ＢＢＵ４１は、Ｃ−ＢＢＵと称されてもよい。一例として、ＢＢＵ４１では、図示しないインタフェースを介して授受されるユーザデータ（例えばパケット）と、ＲＲＨ７との間で通信するデータ（例えばベースバンド信号）との間の変換処理が行なわれてよい。例えば、変換処理には、送信するパケットに対して符号化や変調等を行ないベースバンド信号を取得する処理、及び、受信したベースバンド信号に対して復調や復号等を行ないパケットを取得する処理が含まれてよい。ＢＢＵ４１及びＲＲＨ７は、無線基地局の一例として位置づけられてもよい。
【０１０８】
電気ＳＷ３０は、接続する光送受信モジュール２２とＢＢＵ４１とを任意に切り替え可能なスイッチの一例である。
【０１０９】
図５に示される例において、電気ＳＷ３０は、光送信器＃１及び光受信器＃１を備える光送受信モジュール２２とＢＢＵ＃１とを接続する。また、電気ＳＷ３０は、光送信器＃２及び光受信器＃２を備える光送受信モジュール２２とＢＢＵ＃２とを接続する。更に、電気ＳＷ３０は、光送信器＃３及び光受信器＃３を備える光送受信モジュール２２とＢＢＵ＃３及び＃５とを接続する。また、電気ＳＷ３０は、光送信器＃４及び光受信器＃４を備える光送受信モジュール２２とＢＢＵ＃４及び＃６とを接続する。なお、図５に示す光送受信モジュール２２とＢＢＵ４１との接続関係は、あくまで例示である。ＢＢＵ４１とＢＢＵ４１の通信先のＲＲＨ７との関係の変化等に応じて、電気ＳＷ３０による光送受信モジュール２２とＢＢＵ４１との接続状態は適宜変更されてよい。
【０１１０】
コントローラ１０は、例示的に、ＷＳＳ２１、各光送受信モジュール２２、電気ＳＷ３０及び各ＢＢＵ４１の動作を制御する。
【０１１１】
図９は、図５に示された光通信システム１００におけるコントローラ１０の機能的な構成例を示すブロック図である。
【０１１２】
コントローラ１０は、図９に示されるように、例示的に、ＣＰＵ（Central Processing Unit）１１、メモリ１２及び監視制御回路１３を備える。
【０１１３】
ＣＰＵ１１は、共通監視制御部１１１を備える。共通監視制御部１１１は、監視制御回路１３からの情報及びメモリ１２が記憶する情報に基づき、監視制御回路１３を介して収容局１の監視及び制御を行なう。
【０１１４】
監視制御回路１３は、例示的に、ＣｏＭＰ監視制御部１３１、ＰＯＮ監視制御部１３２、ＢＢＵ監視制御部１３３、電気ＳＷ監視制御部１３４、光送受信器監視制御部１３５及びＷＳＳ監視制御部１３６を備える。
【０１１５】
ＣｏＭＰ監視制御部１３１は、例示的に、ＢＢＵ４１とＲＲＨ７との間における、ＣｏＭＰ通信方式によるセル間協調伝送の監視及び制御を行なう。
【０１１６】
ＣｏＭＰ監視制御部１３１は、ＣＰＵ１１の共通監視制御部１１１からの通知によって、障害が発生した光送受信モジュール２２と通信するＲＲＨ７の通信先の光送受信モジュール２２が変更されることを認識してよい。
【０１１７】
ＰＯＮ監視制御部１３２は、例示的に、ＯＬＴ２０とＯＮＵ６との間における、ＰＯＮによる通信の監視及び制御を行なう。
【０１１８】
ＰＯＮ監視制御部１３２は、通信先の光送受信モジュール２２が変更されるＯＮＵ６に対してディスカバリプロセスを実施し、ＯＮＵ６と変更後の通信先である光送受信モジュール２２との論理的な接続を確立してよい。
【０１１９】
また、ＰＯＮ監視制御部１３２は、ＯＮＵ６から収容局１へ送信される信号光に対して、ＰＯＮの時分割多重技術を用いた制御により、異なるＯＮＵ６から同一の光送受信モジュール２２に対する信号光の衝突を防いでよい。
【０１２０】
ＢＢＵ監視制御部１３３は、例示的に、各ＢＢＵ４１の監視及び制御を行なう。
【０１２１】
電気ＳＷ監視制御部１３４は、電気ＳＷ３０の監視及び制御を行なう。電気ＳＷ監視制御部１３４は、故障した光送受信モジュール２２と接続されているＢＢＵ４１の接続先を、故障した光送受信モジュール２２と隣り合う波長を送信する光送受信モジュール２２に変更するように、電気ＳＷ３０の経路を変更してよい。
【０１２２】
光送受信器監視制御部１３５は、波長制御部の一例であり、例示的に、光送受信モジュール２２の監視及び制御を行なう。
【０１２３】
光送受信器監視制御部１３５は、光送受信モジュール２２のいずれかにおいて発生した故障等の障害を検出し、障害が発生した旨をＣＰＵ１１の共通監視制御部１１１に通知してよい。
【０１２４】
光送受信器監視制御部１３５は、共通監視制御部１１１による設定に応じて、障害が発生した光送受信モジュール２２が送信する信号光の波長と隣り合う波長の信号光を送信する光送受信モジュール２２を制御してよい。例えば、光送受信器監視制御部１３５は、共通監視制御部１１１によって選択された光送受信モジュール２２が送信する信号光の波長を、共用波長に変更する制御を行なってよい。光送受信器監視制御部１３５による光送受信モジュール２２の送信波長の制御は、可変波長光源２２１１が出力する光の波長を制御することにより行なわれてよい。
【０１２５】
別言すれば、光送受信器監視制御部１３５は、光送信器２２１における第１の波長の光の送信状態を第３の波長の光の送信状態に変更する制御を行なってよい。
【０１２６】
ここで、第３の波長は、第１の波長と第２の波長との間の波長であってよい。第１の波長は、光送信器２２１が送信する光の波長であってよい。第２の波長は、第１の波長の光を送信する光送信器２２１と隣り合う波長であってよい。第１の波長と第３の波長との差は、第３の波長と第２の波長との差と等しくてよい。すなわち、第３の波長は、第１の波長と第２の波長との中間の波長であってよい。
【０１２７】
これにより、或る光送信器２２１で障害が発生した場合に、他の光送信器２２１に共用波長の信号光を送信させることができ、収容局１とＯＮＵ６との通信を継続できる。従って、ＢＢＵ４１−ＲＲＨ７のセル間協調伝送において、ＢＢＵ４１−ＲＲＨ７の接続関係の変化に対応した、再構成可能な光アクセスネットワークシステムによれば、ＯＬＴ２０に予備の光送信器２２１を備えなくても、冗長手段を提供できる。
【０１２８】
ＷＳＳ監視制御部１３６は、スイッチ制御部の一例であり、例示的に、ＷＳＳ２１の監視及び制御を行なう。
【０１２９】
ＷＳＳ監視制御部１３６は、共通監視制御部１１１による設定に応じて、ＷＳＳ２１を透過する信号光の波長を制御してよい。例えば、ＷＳＳ監視制御部１３６は、共用波長を送信するように制御される光送受信モジュール２２と接続されているＷＳＳ２１のポートの透過帯域が、共用波長を含むようにＷＳＳ２１を制御してよい。また、ＷＳＳ監視制御部１３６は、共用波長を送信する光送受信モジュール２２と接続されているＷＳＳ２１のポートの透過帯域が、障害の発生した光送受信モジュール２２が受信していた信号光の波長を含むようにＷＳＳ２１を制御してよい。
【０１３０】
別言すれば、ＷＳＳ監視制御部１３６は、ＷＳＳ２１に、光送信器２２１から送信される第１及び第３の波長の光を透過させる制御を行なってよい。そして、光送受信器監視制御部１３５によって光送信器２２１における送信状態を変更する制御が行なわれると、ＷＳＳ監視制御部１３６は、ＷＳＳ２１に、光送信器２２１について透過させる光の波長を第３の波長に制限させる制御を行なってよい。すなわち、ＷＳＳ監視制御部１３６は、ＷＳＳ２１に、光送信器２２１について第２の波長透過を抑止させる制御を行なってよい。
【０１３１】
ここで、第３の波長は、第１の波長と第２の波長との間の波長であってよい。第１の波長は、光送信器２２１が送信する光の波長であってよい。第２の波長は、第１の波長の光を送信する光送信器２２１と隣り合う波長であってよい。第１の波長と第３の波長との差は、第３の波長と第２の波長との差と等しくてよい。すなわち、第３の波長は、第１の波長と第２の波長との中間の波長であってよい。
【０１３２】
これにより、故障した光送信器２２１と接続されていたＯＮＵ６の接続先が変更された場合においても、現用の下り信号波長で運用中のサービスを停止せずに、下りの共用波長を用いることで、収容局１とＯＮＵ６との通信を継続できる。なお、「下り」とは、「収容局１からＯＮＵ６へ向かう方向」を意味してよい。
【０１３３】
メモリ１２は、例示的に、ＲＯＭ（Read Only Memory）及びＲＡＭ（Random Access Memory）の少なくとも一方を含む記憶装置である。メモリ１２のＲＯＭには、ＢＩＯＳ（Basic Input/Output System）等のプログラムが書き込まれてよい。メモリ１２のソフトウェアプログラムは、ＣＰＵ１１及び監視制御回路１３に適宜に読み込まれて実行されてよい。また、メモリ１２のＲＡＭは、一次記録メモリあるいはワーキングメモリとして利用されてよい。
【０１３４】
メモリ１２の記憶領域の少なくとも一部は、トラフィック情報管理部１２１及び波長情報管理部１２２として用いられてよい。
【０１３５】
トラフィック情報管理部１２１は、例示的に、図１７を用いて後述されるトラフィック情報を記憶する。また、波長情報管理部１２２は、例示的に、図１８を用いて後述される波長情報を記憶する。
【０１３６】
ＣＰＵ１１は、例示的に、種々の制御や演算を行なう処理装置であり、メモリ１２に格納されたＯＳ（Operating System）やプログラムを実行することにより、種々の機能を実現する。すなわち、ＣＰＵ１１は、図９に示されるように、共通監視制御部１１１として機能してよい。
【０１３７】
なお、共通監視制御部１１１としての機能を実現するためのプログラムは、コンピュータ読取可能な記録媒体に記録された形態で提供されてよい。そして、コンピュータ（本実施形態ではＣＰＵ１１）は上述した記録媒体から図示しない読取装置を介してプログラムを読み取って内部記録装置または外部記録装置に転送し格納して用いてよい。また、プログラムを、例えば磁気ディスク，光ディスク，光磁気ディスク、フラッシュメモリ等の記憶装置（記録媒体）に記録しておき、記憶装置から通信経路を介してコンピュータに提供してもよい。
【０１３８】
なお、コンピュータ読取可能な記録媒体は、例えばフレキシブルディスク、ＣＤ、ＤＶＤ、ブルーレイディスク、磁気ディスク、光ディスク、光磁気ディスク、フラッシュメモリ等であってよい。ＣＤは、ＣＤ−ＲＯＭやＣＤ−Ｒ、ＣＤ−ＲＷ等であってよい。また、ＤＶＤは、ＤＶＤ−ＲＯＭやＤＶＤ−ＲＡＭ、ＤＶＤ−Ｒ、ＤＶＤ＋Ｒ、ＤＶＤ−ＲＷ、ＤＶＤ＋ＲＷ、ＨＤ  ＤＶＤ等であってよい。
【０１３９】
共通監視制御部１１１としての機能を実現する際には、内部記憶装置（本実施形態ではメモリ１２）に格納されたプログラムがコンピュータ（本実施形態ではＣＰＵ１１）によって実行されてよい。また、記録媒体に記録されたプログラムをコンピュータが読み取って実行してもよい。
【０１４０】
共通監視制御部１１１は、光送受信器監視制御部１３５からの通知に基づいて障害が発生した光送受信モジュール２２と通信していたＯＮＵ６に接続しているＲＲＨ７を特定してよい。そして、共通監視制御部１１１は、特定したＲＲＨ７に関する情報をＣｏＭＰ監視制御部１３１に通知してよい。
【０１４１】
共通監視制御部１１１は、障害が発生した光送受信モジュール２２が送信する信号光の波長と隣り合う波長を送信している光送受信モジュール２２を、共用波長の信号光を送信する光送受信モジュール２２として選択してよい。共通監視制御部１１１は、光送受信器監視制御部１３５に、選択した光送受信モジュール２２が送信する信号光の波長を、共用波長に変更する制御を行なわせてよい。
【０１４２】
共通監視制御部１１１は、ＷＳＳ監視制御部１３６に、共用波長を送信する光送受信モジュール２２と接続されているＷＳＳ２１のポートの透過帯域が共用波長を含むように制御させてよい。また、共通監視制御部１１１は、ＷＳＳ監視制御部１３６に、共用波長を送信する光送受信モジュール２２と接続されているＷＳＳ２１のポートの透過帯域が障害の発生した光送受信モジュール２２が受信していた信号光の波長を含むように制御させてよい。
【０１４３】
〔Ａ−２〕動作例
上述の如く構成された実施形態の光通信システム１００における障害対処動作を、図１０及び図１１を参照しながら、図１２に示されるフローチャート（処理Ｐ１〜Ｐ７）に従って説明する。
【０１４４】
光送信器＃１及び光受信器＃１を備える光送受信モジュール２２が故障すると（図１０の符号Ｂ１）、光送受信器監視制御部１３５は、光送信器＃１及び光受信器＃１を備える光送受信モジュール２２の故障を検知してよい（図１２の処理Ｐ１）。そして、光送受信器監視制御部１３５は、故障が発生した旨を共通監視制御部１１１へ通知してよい。
【０１４５】
共通監視制御部１１１は、故障した光送受信モジュール２２に対応するＲＲＨ＃１を特定してよい（図１２の処理Ｐ２）。別言すれば、共通監視制御部１１１は、故障した光送信器＃１及び光受信器＃１と通信を行なっているＯＮＵ＃１に接続されているＲＲＨ＃１を特定し、ＲＲＨ＃１に関する情報をＣｏＭＰ監視制御部１３１へ通知してよい。これにより、共通監視制御部１１１及びＣｏＭＰ監視制御部１３１は、ＲＲＨ＃１によるセル間協調伝送が有効でないことを認識してよい（図１０の符号Ｂ２）。
【０１４６】
共通監視制御部１１１は、共用波長λ１−２を使用する光送信器２２１として、光送信器＃２を選択してよい（図１１の符号Ｃ１及び図１２の処理Ｐ３）。別言すれば、共通監視制御部１１１は、共用波長λ１−２を送信する光送信器２２１として、故障した光送信器＃１が送信していた信号光の波長λ１と隣り合う波長λ２の信号光を送信している光送信器＃２を選択してよい。
【０１４７】
共通監視制御部１１１は、ＷＳＳ監視制御部１３６に、ＷＳＳ２１のポートの透過波長を変更する制御を行なわせてよい（図１２の処理Ｐ４）。なお、処理Ｐ４の詳細については、図１３に示されるフローチャートを用いて後述される。
【０１４８】
ＰＯＮ監視制御部１３２は、故障した光送信器＃１及び光受信器＃１と通信をしていたＯＮＵ＃１のディスカバリプロセスを実行してよい（図１２の処理Ｐ５）。これにより、ＯＮＵ＃１と、共用波長λ１−２を使用する光送信器＃２及び光受信器＃２との接続が確立されてよい。
【０１４９】
電気ＳＷ監視制御部１３４は、故障した光送信器＃１及び光受信器＃１と接続されていたＢＢＵ＃１の接続先を、共用波長λ１−２を使用する光送信器＃２及び光受信器＃２に変更してよい（図１２の処理Ｐ６）。
【０１５０】
そして、ＲＲＨ＃１は、故障した光送信器＃１及び光受信器＃１を使用しないセル間協調伝送を開始し（図１２の処理Ｐ７）、処理は終了してよい。これにより、ＯＮＵ＃１の光受信器６１及びＯＮＵ＃２の光受信器６１は、ともに波長λ１−２の信号光を受信する（図１１の符号Ｃ２及びＣ３参照）。なお、ＲＲＨ＃２〜ＲＲＨ＃４は、図１２の処理Ｐ１〜Ｐ７の間もＲＲＨ＃１を除いたセル間協調伝送を行なってよく、処理Ｐ７の完了によりＲＲＨ＃１とともにセル間協調伝送を行なうことができる。
【０１５１】
次に、図１２に示された処理Ｐ４の詳細を、図１１を参照しながら、図１３に示されるフローチャート（処理Ｐ４１〜Ｐ４４）に従って説明する。
【０１５２】
ＷＳＳ監視制御部１３６は、光送信器＃２及び光受信器＃２を備える光送受信モジュール２２と接続されているＷＳＳ２１のポートの下り透過帯域を、共用波長λ１−２が透過できる帯域まで広げてよい（図１３の処理Ｐ４１）。換言すれば、ＷＳＳ監視制御部１３６は、ＷＳＳ２１のポートの下り透過帯域を、現用の波長λ２を含む帯域から、共用波長λ１−２、及び、現用の波長λ２を含む帯域に広げてよい。なお、「下り透過帯域」は、「収容局１からＯＮＵ６へ向かう方向の透過帯域」を意味してよい。
【０１５３】
光送受信器監視制御部１３５は、光送信器＃２が送信する信号光の波長λ２を、共用波長λ１−２まで徐々に変更してよい（図１３の処理Ｐ４２）。
【０１５４】
ＷＳＳ監視制御部１３６は、光送信器＃２及び光受信器＃２を備える光送受信モジュール２２と接続されているＷＳＳ２１のポートの下り透過帯域を、共用波長λ１−２の信号光に限って透過できる帯域まで狭めてよい（図１３の処理Ｐ４３）。換言すれば、ＷＳＳ監視制御部１３６は、ＷＳＳ２１のポートの下り透過帯域を、共用波長λ１−２及び波長λ２を含む帯域から、共用波長λ１−２を含む帯域に狭めてよい。
【０１５５】
ＷＳＳ監視制御部１３６は、光送信器＃２及び光受信器＃２を備える光送受信モジュール２２と接続されているＷＳＳ２１のポートの上り透過帯域を、故障した光受信器＃１が受信していた波長λ１１の信号光が透過できる帯域まで広げてよい（図１３の処理Ｐ４４）。換言すれば、ＷＳＳ監視制御部１３６は、ＷＳＳ２１のポートの上り透過帯域を、波長λ１２を含む帯域から、波長λ１１及び波長λ１２を含む帯域に広げてよい。そして、処理は、終了してよい。なお、「上り透過帯域」は、「ＯＮＵ６から収容局１へ向かう方向の透過帯域」を意味してよい。
【０１５６】
〔Ｂ〕変形例
上述した実施形態においては、図１０及び図１１を用いて、各光送信器２２１のうちで送信する信号光の波長が最も小さい光送信器＃１を備える光送受信モジュール２２において障害が発生した例を説明したが、これに限定されるものではない。
【０１５７】
例えば、各光送信器２２１のうちで送信する信号光の波長が最も大きい光送信器＃４を備える光送受信モジュール２２において障害が発生した場合においても、上述した実施形態の光通信システム１００を用いることができる。この場合には、光送信器＃４が送信する信号光の波長λ４と隣り合う波長λ３を送信する光送信器＃３が、共用波長λ３−４を送信する光送信器２２１として選択されてよい。
【０１５８】
変形例の光通信システム１００においては、隣り合う波長の信号光を送信する光送信器２２１が２つある光送信器＃２を備える光送受信モジュール２２において障害が発生した場合について説明する。
【０１５９】
図１４は、変形例の光通信システム１００の光送受信モジュール２２において発生した障害を説明する図である。
【０１６０】
図１４に示される例においては、収容局１の光送信器＃２及び光受信器＃２を備える光送受信モジュール２２において、故障等の障害が発生する（符号Ｄ１参照）。これにより、障害が発生した光送受信モジュール２２と通信を行なうＯＮＵ＃２は、収容局１との間で信号光の送受信ができなくなる。そして、ＯＮＵ＃２に接続されるＲＲＨ＃２は、ＲＲＨ＃１，＃３及び＃４とセル間協調伝送を実施できなくなる（符号Ｄ２参照）。
【０１６１】
この場合には、ＲＲＨ＃２を除いたＲＲＨ＃１，＃３及び＃４がセル間協調伝送を行なうが、ＲＲＨ＃２が使用されないとスループットが大きく低下するモバイルユーザが生じるおそれがある。そこで、変形例の光通信システム１００においては、ＲＲＨ＃２の復旧が行なわれてよい。
【０１６２】
図１５は、図１４に示された障害の対処動作の第１の例を説明する図である。
【０１６３】
共通監視制御部１１１は、共用波長λ１−２を使用する光送信器２２１として、光送信器＃１を選択してよい。
【０１６４】
ＷＳＳ監視制御部１３６は、光送信器＃１及び光受信器＃１を備える光送受信モジュール２２と接続されているＷＳＳ２１のポートの下り透過帯域を、共用波長λ１−２が透過できる帯域まで広げてよい。なお、「下り透過帯域」は、「収容局１からＯＮＵ６へ向かう方向の透過帯域」を意味してよい。
【０１６５】
光送受信器監視制御部１３５は、光送信器＃１が送信する信号光の波長λ１を、共用波長λ１−２まで徐々に変更してよい（符号Ｅ１参照）。これにより、ＯＮＵ＃１の光受信器６１及びＯＮＵ＃２の光受信器６１は、ともに波長λ１−２の信号光を受信する（符号Ｅ２及びＥ３参照）。
【０１６６】
ＷＳＳ監視制御部１３６は、光送信器＃１及び光受信器＃１を備える光送受信モジュール２２と接続されているＷＳＳ２１のポートの下り透過帯域を、共用波長λ１−２の信号光に限って透過できる帯域まで狭めてよい。
【０１６７】
ＷＳＳ監視制御部１３６は、光送信器＃１及び光受信器＃１を備える光送受信モジュール２２と接続されているＷＳＳ２１のポートの上り透過帯域を、故障した光受信器＃２が受信していた波長λ１２の信号光が透過できる帯域まで広げてよい。なお、「上り透過帯域」は、「ＯＮＵ６から収容局１へ向かう方向の透過帯域」を意味してよい。
【０１６８】
以上の動作により、ＲＲＨ＃１，＃３及び＃４は、通信が可能になったＲＲＨ＃２をセル間協調伝送に加えて、故障した光送信器＃２及び光受信器＃２を使用しないセル間協調伝送を行なってよい。
【０１６９】
図１６は、図１４に示された障害の対処動作の第２の例を説明する図である。
【０１７０】
共通監視制御部１１１は、共用波長λ２−３を使用する光送信器２２１として、光送信器＃３を選択してよい。
【０１７１】
ＷＳＳ監視制御部１３６は、光送信器＃３及び光受信器＃３を備える光送受信モジュール２２と接続されているＷＳＳ２１のポートの下り透過帯域を、共用波長λ２−３が透過できる帯域まで広げてよい。
【０１７２】
光送受信器監視制御部１３５は、光送信器＃３が送信する信号光の波長λ３を、共用波長λ２−３まで徐々に変更してよい（符号Ｆ１参照）。これにより、ＯＮＵ＃２の光受信器６１及びＯＮＵ＃３の光受信器６１は、ともに波長λ２−３の信号光を受信する（符号Ｆ２及びＦ３参照）。
【０１７３】
ＷＳＳ監視制御部１３６は、光送信器＃３及び光受信器＃３を備える光送受信モジュール２２と接続されているＷＳＳ２１のポートの下り透過帯域を、共用波長λ２−３の信号光に限って透過できる帯域まで狭めてよい。
【０１７４】
ＷＳＳ監視制御部１３６は、光送信器＃３及び光受信器＃３を備える光送受信モジュール２２と接続されているＷＳＳ２１のポートの上り透過帯域を、故障した光受信器＃２が受信していた波長λ１２の信号光が透過できる帯域まで広げてよい。
【０１７５】
以上の動作により、ＲＲＨ＃１，＃３及び＃４は、通信が可能になったＲＲＨ＃２をセル間協調伝送に加えて、故障した光送信器＃２及び光受信器＃２を使用しないセル間協調伝送を行なってよい。
【０１７６】
なお、隣り合う波長を送信する光送信器２２１が２つある光送信器＃３を備える光送受信モジュール２２において障害が発生した場合には、共用波長を送信する光送信器２２１として、光送信器＃２又は＃４が選択されてよい。
【０１７７】
共通監視制御部１１１は、接続されているＯＮＵ６との間の通信状態に基づいて、共用波長を送信する光送信器２２１を選択してよい。
【０１７８】
これにより、障害が発生した光送信器２２１が送信していた信号光の波長と隣り合う波長を送信する光送信器２２１が複数ある場合においても、共用波長を送信する光送信器２２１を適切に選択することができる。
【０１７９】
一例として、共通監視制御部１１１は、共用波長を送信する光送信器２２１として、接続されているＯＮＵ６との間のモバイルトラフィック量（別言すれば、「通信量」）が少ない光送信器２２１を選択してよい。また、共通監視制御部１１１は、共用波長を送信する光送信器２２１として、接続されているＯＮＵ６の数が少ない光送信器２２１を選択してもよい。
【０１８０】
これにより、複数の候補から共用波長を送信する光送信器２２１を選択する場合において、光通信システム１００における負荷を分散することができる。
【０１８１】
図１７は、変形例の光通信システム１００におけるトラフィック情報をテーブル形式で例示する図である。
【０１８２】
トラフィック情報においては、各ＲＲＨ７に対して、「接続ＯＮＵ」、「ピークトラフィック（Ｇｂｐｓ）」及び「使用トラフィック（Ｇｂｐｓ）」が対応づけられてよい。
【０１８３】
「接続ＯＮＵ」は、例示的に、各ＲＲＨ７に接続されているＯＮＵ６を示す。図１７に示される例において、ＲＲＨ＃１〜＃６には、ＯＮＵ＃１〜＃６がそれぞれ接続されている。
【０１８４】
「ピークトラフィック（Ｇｂｐｓ）」は、例示的に、或る期間における最大のモバイルトラフィック量を示す。図１７に示される例において、ＲＲＨ＃１〜＃６のピークトラフィックは、いずれも１０Ｇｂｐｓである。
【０１８５】
「使用トラフィック（Ｇｂｐｓ）」は、例示的に、或る時刻に使用されたモバイルトラフィック量を示す。図１７に示される例において、ＲＲＨ＃１〜＃４の使用トラフィックは３Ｇｂｐｓであり、ＲＲＨ＃５及び＃６の使用トラフィックは０．５Ｇｂｐｓである。なお、「使用トラフィック（Ｇｂｐｓ）」は、或る期間におけるトラフィック量の平均値であってもよい。
【０１８６】
図１８は、変形例の光通信システム１００における波長情報をテーブル形式で例示する図である。
【０１８７】
図１８の（１）に示される波長情報は、図１７に示されたトラフィック情報に基づいて作成されてよい。
【０１８８】
図１８の（１）に例示される波長情報は、各ＯＮＵ６に対して、「割り当て下り波長」及び「使用帯域（Ｇｂｐｓ）」が対応づけられている。
【０１８９】
「割り当て下り波長」は、例示的に、収容局１から各ＯＮＵ６に対して送信される信号光の波長を示す。図１８の（１）に示される例において、ＯＮＵ＃１〜＃６には、波長λ１，λ２，λ３，λ４，λ３及びλ４がそれぞれ対応づけられている。
【０１９０】
「使用帯域（Ｇｂｐｓ）」は、図１８に示された「使用トラフィック（Ｇｂｐｓ）」に対応し、例示的に、或る時刻において各ＯＮＵ６との通信に使用された帯域を示す。図１８の（１）に示される例において、ＯＮＵ＃１〜＃４との通信における使用帯域は３Ｇｂｐｓであり、ＯＮＵ＃５及び＃６との通信における使用帯域は０．５Ｇｂｐｓである。
【０１９１】
図１８の（２）に示される波長情報は、図１７に示されたトラフィック情報及び図１８の（１）に示された波長情報に基づいて作成されてよい。
【０１９２】
図１８の（２）に例示される波長情報は、各波長に対して、「接続ＯＮＵ数」、「最大帯域（Ｇｂｐｓ）」及び「使用帯域（Ｇｂｐｓ）」が対応づけられている。
【０１９３】
「接続ＯＮＵ数」は、例示的に、各波長を使用して収容局１と接続されているＯＮＵ６の数を示す。図１８の（１）に示される例において、波長λ１及びλ２を使用して接続されているＯＮＵ６の数はそれぞれ１つであり、波長λ３及びλ４を使用して接続されているＯＮＵ６の数はそれぞれ２つである。
【０１９４】
「最大帯域（Ｇｂｐｓ）」は、図１８に示された「ピークトラフィック（Ｇｂｐｓ）」に対応し、例示的に、或る期間において各波長を使用した通信に使用された最大の帯域を示す。図１８の（２）に示される例において、波長λ１〜λ４を使用した通信における最大帯域は、いずれも１０Ｇｂｐｓである。
【０１９５】
「使用帯域（Ｇｂｐｓ）」は、図１８に示された「使用トラフィック（Ｇｂｐｓ）」に対応し、例示的に、或る時刻において各波長を使用した通信に使用された（又は、或る期間の平均の）帯域を示す。図１８の（２）に示される例において、波長λ１及びλ２を使用した通信における使用帯域は３Ｇｂｐｓであり、波長λ３及びλ４を使用した通信における使用帯域は３．５Ｇｂｐｓである。
【０１９６】
共通監視制御部１１１は、故障した光送信器２２１が送信していた波長に隣り合う波長を送信している複数の光送信器２２１を、共用波長を送信する光送信器２２１の複数の候補として選択してよい。そして、共通監視制御部１１１は、選択した複数の候補のうち、使用帯域が最小の波長の信号光を送信する光送信器２２１を、共用波長を送信する光送信器２２１として選択してよい。
【０１９７】
選択した複数の候補に使用帯域が最小の波長の信号光を送信している光送信器２２１が複数ある場合には、共通監視制御部１１１は、接続ＯＮＵ数が最小の波長の信号光を送信している光送信器２２１を、共用波長を送信する光送信器２２１として選択してよい。
【０１９８】
図１８の（２）においては、故障した光送信器＃２が送信していた信号光の波長λ２に隣り合う波長λ１及びλ３のうち、使用帯域が最小の波長λ１の信号光を送信する光送信器＃１が、共用波長λ１−２を送信する光送信器２２１として選択されてよい。
【０１９９】
〔Ｃ〕その他
開示の技術は上述した各実施形態に限定されるものではなく、各実施形態の趣旨を逸脱しない範囲で種々変形して実施することができる。各実施形態の各構成及び各処理は、必要に応じて取捨選択することができ、あるいは適宜組み合わせてもよい。
【０２００】
〔Ｄ〕付記
以上の実施形態及び変形例に関し、更に以下の付記を開示する。
【０２０１】
（付記１）
光送信器と、
複数の光受信器と、
前記光送信器が送信した光を前記複数の光受信器へ分岐するスプリッタと、を備え、
前記光送信器は、
第１の波長の光と、前記第１の波長の光と第２の波長の光との間の第３の波長の光と、を送信可能な可変波長光源を備え、
前記複数の光受信器のうちの第１の光受信器は、
前記第１の波長と前記第３の波長とを含む第１透過帯域を有する第１光フィルタと、
前記第１光フィルタを透過した光を受信する第１受信部と、を備え、
前記複数の光受信器のうちの第２の光受信器は、
前記第２の波長と前記第３の波長とを含む第２透過帯域を有する第２光フィルタと、
前記第２光フィルタを透過した光を受信する第２受信部と、を備えた、
光通信システム。
【０２０２】
（付記２）
前記光送信器が送信する光の波長を前記第１の波長から前記第３の波長に変更する制御を行なう波長制御部を更に備える、
付記１に記載の光通信システム。
【０２０３】
（付記３）
前記光送信器は、送信局に備えられる複数の送信局側光送信器の１つであり、
前記送信局は、
前記複数の送信局側光送信器の各々が送信する波長の光を透過させて送出するスイッチと、
前記スイッチにおいて、前記光送信器から送信される前記第１及び第３の波長の光を透過させ、
前記波長制御部によって前記光送信器が送信する光の波長を変更する制御が行なわれると、前記スイッチにおいて、前記光送信器について透過させる光の波長を前記第３の波長に制限する
スイッチ制御部と、
を更に備える、付記２に記載の光通信システム。
【０２０４】
（付記４）
前記光送信器は、送信局に備えられる複数の送信局側光送信器の１つであり、
前記波長制御部は、前記第２の波長の短波長側に隣り合う波長の光を送信する送信局側光送信器、及び、前記第２の波長の長波長側に隣り合う波長の光を送信する送信局側光送信器を含む複数の候補と、前記複数の光受信器との間の通信状態とに基づき、前記複数の候補から前記光送信器を選択する、
付記２又は３に記載の光通信システム。
【０２０５】
（付記５）
前記通信状態には、前記複数の候補の送信局側光送信器の各々と対応する光受信器との間の通信量が含まれる、
付記４に記載の光通信システム。
【０２０６】
（付記６）
前記通信状態には、前記複数の候補の送信局側光送信器の各々が通信する光受信器の数が含まれる、
付記４に記載の光通信システム。
【０２０７】
（付記７）
前記複数の光受信器は、複数の受信局に１つずつ備えられる光受信器であって、
前記光送信器は、送信局に備えられ、
前記複数の受信局の２つは、
第４の波長の光を前記送信局へ送信する第１の受信局側送信器と、
第５の波長の光を前記送信局へ送信する第２の受信局側送信器と、をそれぞれ備え、
前記送信局は、前記第１の受信局側送信器から送信された前記第４の波長の光と、前記第２の受信局側送信器から送信された前記第５の波長の光とを受信する送信局側受信器を更に備える、
付記１〜６のいずれか１項に記載の光通信システム。
【０２０８】
（付記８）
前記第１受信部で受信処理した信号を無線送信する第１無線送信ポイントと、
前記第２受信部で受信処理した信号を無線送信する第２無線送信ポイントと、を更に備え、
前記第１及び第２無線送信ポイントは、互いに前記無線送信を協調して行なう、
付記１〜７のいずれか１項に記載の光通信システム。
【０２０９】
（付記９）
受信した光を複数の光受信器へ分岐するスプリッタと接続される光送信器と、
前記光送信器が送信する光の波長を制御する波長制御部と、を備え、
前記光送信器は、
第１の波長の光と、前記第１の波長の光と第２の波長の光との間の第３の波長の光と、を送信可能な可変波長光源を備え、
前記波長制御部は、前記光送信器が送信する光の波長を前記第１の波長から前記第３の波長に変更する制御を行ない、
前記第１及び第３の光の波長は、前記複数の光受信器のうちの第１の光受信器によって受信可能であり、
前記第２及び第３の光の波長は、前記複数の光受信器のうちの第２の光受信器によって受信可能である、
送信局。
【０２１０】
（付記１０）
前記光送信器は、当該送信局に備えられる複数の送信局側光送信器の１つであり、
前記複数の送信局側光送信器の各々が送信する波長の光を透過させて送出するスイッチと、
前記スイッチにおいて、前記光送信器から送信される前記第１及び第３の波長の光を透過させ、前記波長制御部によって前記光送信器が送信する光の波長を変更する制御が行なわれると、前記スイッチにおいて、前記光送信器について透過させる光の波長を前記第３の波長に制限するスイッチ制御部と、
を更に備える、付記９に記載の送信局。
【０２１１】
（付記１１）
前記光送信器は、当該送信局に備えられる複数の送信局側光送信器の１つであり、
前記波長制御部は、前記第２の波長の短波長側に隣り合う波長の光を送信する送信局側光送信器、及び、前記第２の波長の長波長側に隣り合う波長の光を送信する送信局側光送信器を含む複数の候補と、前記複数の光受信器との間の通信状態とに基づき、前記複数の候補から前記光送信器を選択する、
付記９又は１０に記載の送信局。
（付記１２）
前記通信状態には、前記複数の候補の送信局側光送信器の各々と対応する光受信器との間の通信量が含まれる、
付記１１に記載の送信局。
【０２１２】
（付記１３）
前記通信状態には、前記複数の候補の送信局側光送信器の各々が通信する光受信器の数が含まれる、
付記１１に記載の送信局。
【０２１３】
（付記１４）
前記複数の光受信器は、複数の受信局に１つずつ備えられる光受信器であって、
前記複数の受信局の２つは、
第４の波長の光を前記送信局へ送信する第１の受信局側送信器と、
第５の波長の光を前記送信局へ送信する第２の受信局側送信器と、をそれぞれ備え、
当該送信局は、前記複数の受信局のいずれかに備えられる第１の受信局側送信器から送信された第４の波長の光と、前記複数の受信局のいずれかに備えられる第２の受信局側送信器から送信された第５の波長の光とを受信する送信局側受信器を更に備える、
付記９〜１３のいずれか１項に記載の送信局。
【０２１４】
（付記１５）
光送信器から、第１の波長の光と、前記第１の波長の光と第２の波長の光との間の第３の波長の光と、を選択的に送信し、
前記送信された光をスプリッタにて複数の光受信器へ分岐し、
前記複数の光受信器のうちの第１の光受信器は、前記第１の波長と前記第３の波長とを含む第１透過帯域を有する第１光フィルタの透過光を受信し、
前記複数の光受信器のうちの第２の光受信器は、前記第２の波長と前記第３の波長とを含む第２透過帯域を有する第２光フィルタの透過光を受信する、
光通信方法。
【０２１５】
（付記１６）
前記光送信器が送信する光の波長を前記第１の波長から前記第３の波長に変更する制御を行なう、
付記１５に記載の光通信方法。
【０２１６】
（付記１７）
前記光送信器は、送信局に備えられ、
前記送信局は、
前記光送信器から送信される前記第１及び第３の波長の光を透過させて送出し、前記光送信器が送信する光の波長を変更する制御が行なわれると、前記光送信器について透過させる光の波長を前記第３の波長に制限する、
付記１６に記載の光通信方法。
【０２１７】
（付記１８）
前記光送信器は、送信局に備えられる複数の送信局側光送信器の１つであり、
前記第２の波長の短波長側に隣り合う波長の光を送信する送信局側光送信器、及び、前記第２の波長の長波長側に隣り合う波長の光を送信する送信局側光送信器を含む複数の候補と、前記複数の光受信器との間の通信状態とに基づき、前記複数の候補から前記光送信器を選択する、
付記１６又は１７に記載の光通信方法。
【０２１８】
（付記１９）
前記通信状態には、前記複数の候補の送信局側光送信器の各々と対応する光受信器との間の通信量が含まれる、
付記１８に記載の光通信方法。
【０２１９】
（付記２０）
前記通信状態には、前記複数の候補の送信局側光送信器の各々が通信する光受信器の数が含まれる、
付記１８に記載の光通信方法。
【０２２０】
（付記２１）
前記複数の光受信器は、複数の受信局に１つずつ備えられる光受信器であって、
前記光送信器は、送信局に備えられ、
前記複数の受信局の２つは、第４の波長及び第５の波長の光を前記送信局へそれぞれ送信し、
前記送信局は、前記送信された前記第４及び第５の波長の光を受信する、
付記１５〜２０のいずれか１項に記載の光通信方法。
【符号の説明】
【０２２１】
１００，１００ａ  ：光通信システム
１，１ａ          ：収容局
１０，１０ａ      ：コントローラ
１１              ：ＣＰＵ
１２              ：メモリ
１３              ：監視制御回路
１１１            ：共通監視制御部
１２１            ：トラフィック情報管理部
１２２            ：波長情報管理部
１３１            ：ＣｏＭＰ監視制御部
１３２            ：ＰＯＮ監視制御部
１３３            ：ＢＢＵ監視制御部
１３４            ：電気ＳＷ監視制御部
１３５            ：光送受信器監視制御部
１３６            ：ＷＳＳ監視制御部
２０，２０ａ      ：ＯＬＴ
２１，２１ａ      ：ＷＳＳ
２２，２２ａ      ：光送受信モジュール
２２１，２２１ａ  ：光送信器
２２２，２２２ａ  ：光受信器
２２１１          ：可変波長光源
２２１２          ：駆動部
２２１３          ：光変調器
３０              ：電気ＳＷ
４０，４０ａ      ：ＢＢＵプール
４１，４１ａ      ：ＢＢＵ
５，５ａ          ：光スプリッタ
６０ａ            ：セル
６，６ａ          ：ＯＮＵ
６１，６１ａ      ：光受信器
６２，６２ａ      ：光送信器
６３，６３ａ      ：光合分波器
６１１            ：ＢＰＦ
６１２            ：ＰＤ
６１３            ：受信処理部
７，７ａ          ：ＲＲＨ
【図１】
0006690347.tif 000002
【図２】
0006690347.tif 000003
【図３】
0006690347.tif 000004
【図４】
0006690347.tif 000005
【図５】
0006690347.tif 000006
【図６】
0006690347.tif 000007
【図７】
0006690347.tif 000008
【図８】
0006690347.tif 000009
【図９】
0006690347.tif 000010
【図１０】
0006690347.tif 000011
【図１１】
0006690347.tif 000012
【図１２】
0006690347.tif 000013
【図１３】
0006690347.tif 000014
【図１４】
0006690347.tif 000015
【図１５】
0006690347.tif 000016
【図１６】
0006690347.tif 000017
【図１７】
0006690347.tif 000018
【図１８】
0006690347.tif 000019